(57)【要約】【課題】内容物に接着剤が付着することを抑制することによって使いやすい包装体を提供する。【解決手段】包装体１は、第１シート部Ｓ１と、第２シート部Ｓ２とを備えている。第１シート部Ｓ１には内面ＩＳが設けられている。第２シート部Ｓ２には外面ＯＳが設けられている。第１シート部Ｓ１は、被剥離層１１を含んでいる。第２シート部Ｓ２は、被剥離層１１に剥離可能に貼り合わされた剥離層１２を含んでいる。第１シート部Ｓ１には内面ＩＳから剥離層１１に至るように第１切り欠き部Ｎ１が設けられている。第２シート部Ｓ２には外面ＯＳから被剥離層１２に至るように第２切り欠き部Ｎ２が設けられている。第１切り欠き部Ｎ１と第２切り欠き部Ｎ２とは互いにずれるように配置されている。被剥離層１１と剥離層１２とは押出ラミネート方式によって貼り合わされている。【選択図】図２
2020121759.tif 000002
【特許請求の範囲】
【請求項１】
内面および外面を有する包装体であって、
前記内面が設けられた第１シート部と、
前記第１シート部に対して前記内面と反対側で前記第１シート部に積層され、かつ前記外面が設けられた第２シート部とを備え、
前記第１シート部は、被剥離層を含み、
前記第２シート部は、前記被剥離層に剥離可能に貼り合わされた剥離層を含み、
前記第１シート部には前記内面から前記剥離層に至るように第１切り欠き部が設けられており、
前記第２シート部には前記外面から前記被剥離層に至るように第２切り欠き部が設けられており、
前記第１切り欠き部と前記第２切り欠き部とは互いにずれるように配置されており、
前記被剥離層と前記剥離層とは押出ラミネート方式によって貼り合わされている、包装体。
【請求項２】
前記被剥離層と前記剥離層とは互いの間に接着剤を介さずに貼り合わされている、請求項１に記載の包装体。
【請求項３】
前記被剥離層と前記剥離層とは、互いに異なる材料から構成されている、請求項１または２に記載の包装体。
【発明の詳細な説明】
【技術分野】
【０００１】
本発明は包装体に関するものである。
【背景技術】
【０００２】
従来、食品等の内容物を収容可能な包装体が提案されている。この包装体として、例えば、特開２０１４−２８６６０号公報（特許文献１）には、可撓性包装構造体により形成された包装容器が記載されている。この可撓性包装構造体では、第１の構造体は、感圧接着剤および恒久的積層接着剤を介して第２の構造体と積層されている。第１の構造体を貫通し第２の構造体内に延長しないように第１の切り込み線が設けられている。第２の構造体を貫通し第１の構造体内に延長しないように第２の切り込み線が設けられている。第２の切り込み線は、第１の切り込み線から内方に離間している。この可撓性包装構造体では、第１の切り込み線および第２の切り込み線によって外側構造体と内側構造体とが分離されることで開口が形成される。外側構造体の周辺領域に配置された感圧接着剤によって外側構造体は内側構造体に再付着することが可能である。
【先行技術文献】
【特許文献】
【０００３】
【特許文献１】特開２０１４−２８６６０号公報
【発明の概要】
【発明が解決しようとする課題】
【０００４】
上記公報に記載された可撓性包装構造体では、第１の切り込み線および第２の切り込み線によって外側構造体と内側構造体とが分離されることで開口が形成された後に、外側構造体の周辺領域に配置された感圧接着剤が内容物に付着することがある。このため、包装容器を使いにくいという問題がある。
【０００５】
本発明は上記課題に鑑みてなされたものであり、その目的は、内容物に接着剤が付着することを抑制することによって使いやすい包装体を提供することである。
【課題を解決するための手段】
【０００６】
本発明の包装体は、内面および外面を有するものである。包装体は、第１シート部と、第２シート部とを備えている。第１シート部には内面が設けられている。第２シート部は、第１シート部に対して内面と反対側で第１シート部に積層されている。第２シート部には外面が設けられている。第１シート部は、被剥離層を含んでいる。第２シート部は、被剥離層に剥離可能に貼り合わされた剥離層を含んでいる。第１シート部には内面から剥離層に至るように第１切り欠き部が設けられている。第２シート部には外面から被剥離層に至るように第２切り欠き部が設けられている。第１切り欠き部と第２切り欠き部とは互いにずれるように配置されている。被剥離層と剥離層とは押出ラミネート方式によって貼り合わされている。
【発明の効果】
【０００７】
本発明によれば、第１切り欠き部と第２切り欠き部との間で被剥離層から剥離層が剥離されることによって第１シート部および第２シート部は分離される。被剥離層と剥離層とは押出ラミネート方式によって貼り合わされているため、被剥離層から剥離層が剥離された後に、被剥離層および剥離層によって内容物に接着剤が付着することが抑制される。これにより、包装体を使いやすくすることができる。
【図面の簡単な説明】
【０００８】
【図１】本発明の実施の形態１に係る包装体の構成を概略的に示す斜視図である。
【図２】図１のＩＩ−ＩＩ線に沿う包装体の上面部の断面図である。
【図３】本発明の実施の形態１に係る包装体に内容物が収容される様子を概略的に示す斜視図である。
【図４】本発明の実施の形態１に係る包装体に開口が形成される様子を概略的に示す斜視図である。
【図５】図２に対応する断面図であって、第１切り欠き部および第２切り欠き部によって本体部と蓋部とに分離される様子を概略的に示す断面図である。
【図６】本発明の実施の形態１に係る包装体の変形例１の図２に対応する断面図である。
【図７】本発明の実施の形態１に係る包装体の変形例２の図２に対応する断面図である。
【図８】本発明の実施の形態１に係る包装体の変形例３の図２に対応する断面図である。
【図９】本発明の実施の形態２に係る包装体の構成を概略的に示す斜視図である。
【図１０】本発明の実施の形態２に係る包装体に開口が形成される様子を概略的に示す斜視図である。
【図１１】本発明の実施の形態３に係る包装体の構成を概略的に示す斜視図である。
【図１２】図１１のＸＩＩ−ＸＩＩ線に沿う断面図である。
【発明を実施するための形態】
【０００９】
以下、図面を参照して、本発明の実施の形態について説明する。なお、特に言及しない限り、以下の図面において、同一または相当する部分には同一の参照符号を付し、その説明を繰り返さない。
【００１０】
（実施の形態１）
図１を参照して、本発明の実施の形態１に係る包装体１の構成について説明する。図１は、包装体１に内容物が収容された状態を示している。以下、本実施の形態に係る包装体１の一例として、ガゼットパウチについて説明する。ガゼットパウチは、リジッド性を有している。しかしながら、本実施の形態に係る包装体１は、ガゼットパウチに限られず、スタンディングパウチなどであってもよい。
【００１１】
本実施の形態に係る包装体１は、積層フィルムの一方端部と他方端部とがシールされることにより形成された筒状体の前方端部および後方端部の各々がシールされることにより構成されている。本実施の形態において「シールする」とは、２つのフィルム同士を接着して２つのフィルム同士の間を気密に封止することを意味する。
【００１２】
本実施の形態に係る包装体１は、前面部１０ａと、後面部１０ｂと、上面部１０ｃと、下面部１０ｄと、右側面部１０ｅと、左側面部１０ｆとを有している。包装体１は、全体として略直方体形状を有している。前面部１０ａ、後面部１０ｂ、上面部１０ｃ、下面部１０ｄ、右側面部１０ｅ、左側面部１０ｆ、前後方向Ｄ１、上下方向Ｄ２、左右方向Ｄ３などの向きを示す用語は、前面部１０ａが前に位置し下面部１０ｄが下に位置した状態における相対的な位置関係を表している。
【００１３】
前面部１０ａは、上記の筒状体の前方部分により構成されている。前面部１０ａは、上記筒状体の前方部分が下面部１０ｄ側に折り曲げられることにより構成されている。前面部１０ａは、後面部１０ｂと前後方向Ｄ１に向かい合うように配置されている。後面部１０ｂは、上記筒状体の後方部分により構成されている。後面部１０ｂは、上記筒状体の後方部分が下面部１０ｄ側に折り曲げられることにより構成されている。
【００１４】
上面部１０ｃおよび下面部１０ｄならびに右側面部１０ｅおよび左側面部１０ｆは、上記筒状体の前方部分および後方部分に挟まれた中央部分（胴部）により構成されている。上面部１０ｃは、下面部１０ｄと上下方向Ｄ２に向かい合うように配置されている。右側面部１０ｅは、左側面部１０ｆと左右方向Ｄ３に向かい合うように配置されている。
【００１５】
右側面部１０ｅおよび左側面部１０ｆの各々は、上面部１０ｃおよび下面部１０ｄの間で略平面となるように構成されている。なお、右側面部１０ｅおよび左側面部１０ｆの各々は、２つ折りの状態で折り目から上面部１０ｃおよび下面部１０ｄの間に挿入されるように構成されていてもよい。この場合、右側面部１０ｅおよび左側面部１０ｆの各々は、上面部１０ｃおよび下面部１０ｄの間で互いに接しないように配置されている。
【００１６】
前面部１０ａには、前面シール部１０ａ１が設けられている。前面シール部１０ａ１は、左右方向Ｄ３において、前面部１０ａの全幅にわたって設けられている。前面シール部１０ａ１は、左右方向Ｄ３において、中央に配置された前面中央部と、右端に配置された前面右端部と、左端に配置された前面左端部とを有している。前面中央部では、上面部１０ｃおよび下面部１０ｄの各々から、前面部１０ａに延びる積層フィルム同士がシールされている。前面右端部では、上面部１０ｃおよび右側面部１０ｅの各々から、前面部１０ａに延びる積層フィルム同士がシールされており、下面部１０ｄおよび右側面部１０ｅの各々から、前面部１０ａに延びる積層フィルム同士がシールされている。前面左端部では、上面部１０ｃおよび左側面部１０ｆの各々から、前面部１０ａに延びる積層フィルム同士がシールされており、下面部１０ｄおよび左側面部１０ｆの各々から、前面部１０ａに延びる積層フィルム同士がシールされている。
【００１７】
後面部１０ｂには、後面シール部１０ｂ１が設けられている。後面シール部１０ｂ１は、左右方向Ｄ３において、後面部１０ｂの全幅にわたって設けられている。後面シール部１０ｂ１は、左右方向Ｄ３において、中央に配置された後面中央部と、右端に配置された後面右端部と、左端に配置された後面左端部とを有している。後面中央部では、上面部１０ｃおよび下面部１０ｄの各々から、後面部１０ｂに延びる積層フィルム同士がシールされている。後面右端部では、上面部１０ｃおよび右側面部１０ｅの各々から、後面部１０ｂに延びる積層フィルム同士がシールされており、下面部１０ｄおよび右側面部１０ｅの各々から、後面部１０ｂに延びる積層フィルム同士がシールされている。後面左端部では、上面部１０ｃおよび左側面部１０ｆの各々から、後面部１０ｂに延びる積層フィルム同士がシールされており、下面部１０ｄおよび左側面部１０ｆの各々から、後面部１０ｂに延びる積層フィルム同士がシールされている。
【００１８】
本実施の形態に係る包装体１は、本体部１ａと、蓋部１ｂとを有している。本体部１ａは、内容物を収容可能に構成されている。蓋部１ｂは、本体部１ａと分離可能に構成されている。蓋部１ｂは、本体部１ａから蓋部１ｂの少なくとも一部が分離されていればよく、蓋部１ｂの全体が分離されていなくてもよい。本実施の形態に係る包装体１では、本体部１ａは、前面部１０ａ、後面部１０ｂ、上面部１０ｃの一部、下面部１０ｄ、右側面部１０ｅおよび左側面部１０ｆにより構成されている。蓋部１ｂは、上面部１０ｃの本体部１ａ以外の他部により構成されている。
【００１９】
図２を参照して、本実施の形態に係る包装体１の積層フィルムについて説明する。本実施の形態に係る包装体１は、積層フィルムにより構成されている。本実施の形態に係る包装体１では、前面部１０ａ、後面部１０ｂ、上面部１０ｃ、下面部１０ｄ、右側面部１０ｅおよび左側面部１０ｆの各々は、同一の積層フィルムにより構成されている。
【００２０】
本実施の形態に係る包装体１は、内面ＩＳと、外面ＯＳと、第１シート部Ｓ１と、第２シート部Ｓ２とを有している。内面ＩＳは、包装体１の最内面を構成している。外面ＯＳは、包装体１の最外面を構成していている。第１シート部Ｓ１に内面ＩＳが設けられている。第２シート部Ｓ２に外面が設けられている。第２シート部Ｓ２は、第１シート部Ｓ１に積層されている。第２シート部Ｓ２は、第１シート部Ｓ１に対して内面ＩＳと反対側に配置されている。つまり、第２シート部Ｓ２は、第１シート部Ｓ１に対して内面ＩＳと反対側で第１シート部Ｓ１に積層されている。
【００２１】
第１シート部Ｓ１は、被剥離層１１を有している。第２シート部Ｓ２は、剥離層１２を有している。剥離層１２は、被剥離層１１に剥離可能に貼り合わされている。本実施の形態に係る包装体１では、第２シート部Ｓ２は、基材層１３を有している。
【００２２】
第１シート部Ｓ１には内面ＩＳから剥離層１２に至るように第１切り欠き部Ｎ１が設けられている。第１切り欠き部Ｎ１は、被剥離層１１を貫通し、剥離層１２を貫通しないように設けられている。本実施の形態に係る包装体１では、第１切り欠き部Ｎ１は、剥離層１２の被剥離層１１側の一部に連続して設けられている。つまり、第１切り欠き部Ｎ１は、剥離層１２に設けられた内面ＩＳから被剥離層１１を貫通して剥離層１２の被剥離層１１側の一部まで連続して設けられている。第１切り欠き部Ｎ１は、内面ＩＳから外面ＯＳに向かって延びるハーフカットにより構成されている。第１切り欠き部Ｎ１は、先端に向かって幅が狭くなるようにテーパ状に設けられていてもよい。
【００２３】
第２シート部Ｓ２には外面ＯＳから被剥離層１１に至るように第２切り欠き部Ｎ２が設けられている。第２切り欠き部Ｎ２は、剥離層１２を貫通し、被剥離層１１を貫通しないように設けられている。本実施の形態に係る包装体１では、第２切り欠き部Ｎ２は、被剥離層１１の剥離層１２側の一部に連続して設けられている。つまり、第２切り欠き部Ｎ２は、基材層１３に設けられた外面ＯＳから基材層１３および剥離層１２を貫通して被剥離層１１の剥離層１２側の一部まで連続して設けられている。第２切り欠き部Ｎ２は、外面ＯＳから内面ＩＳに向かって延びるハーフカットにより構成されている。第２切り欠き部Ｎ２は、先端に向かって幅が狭くなるようにテーパ状に設けられていてもよい。
【００２４】
第１切り欠き部Ｎ１と第２切り欠き部Ｎ２とは互いにずれるように配置されている。つまり、第１切り欠き部Ｎ１と第２切り欠き部Ｎ２とは繋がっていない。また、第１切り欠き部Ｎ１と第２切り欠き部Ｎ２とは互いに一直線上に配置されていない。本実施の形態に係る包装体１では、上面部１０ｃ側から包装体１を見たときに、第１切り欠き部Ｎ１は、第２切り欠き部Ｎ２の内側に配置されている。言い換えれば、上面部１０ｃ側から包装体１を見たときに、第２切り欠き部Ｎ２は、第１切り欠き部Ｎ１の外側に配置されている。
【００２５】
被剥離層１１と剥離層１２とは押出ラミネート方式によって貼り合わされている。つまり、被剥離層１１と剥離層１２とは互いに直接貼り合わされている。被剥離層１１と剥離層１２とは互いの間に接着剤を介さずに貼り合わされている。つまり、被剥離層１１と剥離層１２とは接着剤を用いずにラミネートされている。また、被剥離層１１と剥離層１２とは、たとえば、接着剤付きラベルなどの別パーツを用いることなく貼り合わされている。
【００２６】
被剥離層１１と剥離層１２とは、互いに異なる材料から構成されている。被剥離層１１および剥離層１２の各々の材料は、たとえば、ポリエチレン（ＰＥ）およびポリプロピレン（ＰＰ）である。また、被剥離層１１および剥離層１２の各々の材料は、ＰＥリッチ層およびＰＰリッチ層であってもよい。ＰＥリッチ層とは、ポリエチレン（ＰＥ）成分が層全体の６０％以上の比重を占める層である。ＰＰリッチ層とは、ポリプロピレン（ＰＰ）成分が層全体の６０％以上の比重を占める層である。また、被剥離層１１および剥離層１２の各々の材料は、たとえば、ポリエチレンテレフタレート（ＰＥＴ）およびエチレン−メタクリル酸共重合体（ＥＭＡＡ）であってもよい。
【００２７】
基材層１３は、剥離層１２に積層されている。基材層１３は、剥離層１２に対して被剥離層１１と反対側に配置されている。基材層１３の材料は、たとえば、蒸着ポリエチレンテレフタレート（ＰＥＴ）、蒸着延伸ポリプロピレン（ＯＰＰ）、ナイロン（ＮＹ）、バリアナイロン（ＮＹ）、紙などである。
【００２８】
剥離層１２の被剥離層１１とのラミネート強度（接着強度）は、剥離層１２の基材層１３とのラミネート強度よりも低い。ラミネート強度（Ｎ／１５ｍｍ）は、引張試験機（株式会社エー・アンド・デイ製テンシロン万能材料試験機）を用いてＴ型剥離法（クロスヘッドスピード３００ｍｍ／分）で測定される。剥離層１２は接着剤ではないため、剥離層１２の被剥離層１１とのラミネート強度は、剥離層１２の基材層１３とのラミネート強度と異なる。また、剥離層１２は接着剤ではないため架橋により硬化しない。そのため、剥離層１２は、被剥離層１１よりも軟らかい。
【００２９】
図１および図２を参照して、本実施の形態に係る包装体１においては、前面シール部１０ａ１および後面シール部１０ｂ１の各々は内側に折り曲げられた状態で固定されている。前面シール部１０ａ１および後面シール部１０ｂ１の各々はホットメルトで固定されていてもよい。また、前面シール部１０ａ１および後面シール部１０ｂ１は、基材層１３の外面ＯＳにヒートシール延伸ポリプロピレン（ＨＳＯＰＰ）などのヒートシール性を有する材料を用いることで、ヒートシールにより前面シール部１０ａ１および後面シール部１０ｂ１を内側に向けて折り曲げて固定されていてもよい。
【００３０】
図３を参照して、包装体１に内容物１００が収容される様子について説明する。図３は、上記筒状体および後面シール部１０ｂ１が形成されているが、前面シール部１０ａ１が形成されていない状態の包装体１を示している。この状態で、上記筒状部の前方端部に設けられた収容口ＩＮから図３中矢印Ａで示されるように内容物１００が包装体１の収容空間に収容される。包装体１の収容空間への内容物１００の収容が完了すると、収容口ＩＮを閉じるように前面シール部１０ａ１が形成される。これにより、包装体１は、図１に示される状態となる。
【００３１】
図４および図５を参照して、包装体１の本体部１ａから蓋部１ｂが分離される様子について説明する。図４では、包装体１の本体部１ａから剥離されている状態の蓋部１ｂが破線で示されている。また、図４では、包装体１の本体部１ａから完全に分離された状態の蓋部１ｂが実線で示されている。
【００３２】
蓋部１ｂは、包装体１の前面部１０ａ側の端部に配置された摘まみ部１ｂ１を有している。摘まみ部１ｂ１が摘ままれ、図４中矢印Ｂで示されるように、包装体１の後面部１０ｂ側に向けて折り返されるように蓋部１ｂは引っ張られる。これにより、図４および図５に示されるように第１切り欠き部Ｎ１と第２切り欠き部Ｎ２との間に配置された被剥離層１１から剥離層１２が剥離される。蓋部１ｂの後端まで被剥離層１１から剥離層１２が剥離されると、第１切り欠き部Ｎ１および第２切り欠き部Ｎ２に沿って本体部１ａから蓋部１ｂが完全に分離される。このようにして、包装体１の上面部１０ｃに開口ＯＰが形成される。このため、包装体１の収容空間から開口ＯＰを通して内容物１００を包装体１の外へ取り出すことが可能となる。
【００３３】
なお、本実施の形態に係る包装体１では、開口ＯＰは包装体１の上面部１０ｃに設けられているが、開口ＯＰの位置は上面部１０ｃに限定されず、たとえば、右側面部１０ｅに設けられていてもよい。また、開口ＯＰは、包装体１の１面だけでなく、２面に跨がって設けられていてもよい。開口ＯＰは、たとえば、包装体１の上面部１０ｃから右側面部１０ｅにわたって設けられていてもよい。さらに、開口ＯＰは、包装体１の１面に１つだけでなく、２つ以上設けられていてもよい。開口ＯＰは、たとえば、包装体１の上面部１０ｃに２つ設けられていてもよい。
【００３４】
続いて、本実施の形態に係る包装体１の変形例１〜３について説明する。
図６を参照して、本実施の形態に係る包装体１の変形例１では、第１シート部Ｓ１は、被剥離層１１と、シーラント層１４とを有している。第２シート部Ｓ２は、剥離層１２を有している。第２シート部Ｓ２は、基材層を有していない。外面ＯＳは、剥離層１２に設けられている。内面ＩＳは、シーラント層１４に設けられている。シーラント層１４は、包装体１をシールするためのシーラントとなる層である。シーラント層１４は、被剥離層１１に積層されている。シーラント層１４は、被剥離層１１に対して剥離層１２と反対側に配置されている。
【００３５】
第１切り欠き部Ｎ１は、シーラント層１４に設けられた内面ＩＳからシーラント層１４、被剥離層１１を貫通して剥離層１２の被剥離層１１側の一部まで連続して設けられている。第２切り欠き部Ｎ２は、剥離層１２に設けられた外面ＯＳから剥離層１２を貫通して被剥離層１１の剥離層１２側の一部まで連続して設けられている。
【００３６】
被剥離層１１の材料は、たとえば、ポリエチレン（ＰＥ）である。このポリエチレン（ＰＥ）の厚みは、たとえば、１０μｍ以上３０μｍ以下である。剥離層１２の材料は、たとえば、ヒートシール延伸ポリプロピレン（ＨＳＯＰＰ）である。このヒートシール延伸ポリプロピレン（ＨＳＯＰＰ）の厚みは、たとえば、２０μｍ以上４０μｍ以下である。このヒートシール延伸ポリプロピレン（ＨＳＯＰＰ）は、被剥離層１１側にヒートシール面（ＨＳ面）を有している。シーラント層１４の材料は、たとえば、ポリエチレン（ＰＥ）である。このポリエチレン（ＰＥ）の厚みは、たとえば、３０μｍ以上５０μｍ以下である。
【００３７】
図７を参照して、本実施の形態に係る包装体１の変形例２では、第１シート部Ｓ１は、被剥離層１１と、シーラント層１４とを有している。第２シート部Ｓ２は、剥離層１２と、基材層１３とを有している。外面ＯＳは、基材層１３に設けられている。内面ＩＳは、シーラント層１４に設けられている。
【００３８】
第１切り欠き部Ｎ１は、シーラント層１４に設けられた内面ＩＳからシーラント層１４、被剥離層１１を貫通して剥離層１２の被剥離層１１側の一部まで連続して設けられている。第２切り欠き部Ｎ２は、基材層１３に設けられた外面ＯＳから基材層１３、剥離層１２を貫通して被剥離層１１の剥離層１２側の一部まで連続して設けられている。
【００３９】
本実施の形態に係る包装体１の変形例２における第１の例について説明する。被剥離層１１の材料は、たとえば、ポリエチレン（ＰＥ）である。このポリエチレン（ＰＥ）の厚みは、たとえば、１０μｍ以上３０μｍ以下である。剥離層１２の材料は、たとえば、ヒートシール延伸ポリプロピレン（ＨＳＯＰＰ）である。このヒートシール延伸ポリプロピレン（ＨＳＯＰＰ）の厚みは、たとえば、３０μｍである。このヒートシール延伸ポリプロピレン（ＨＳＯＰＰ）は、被剥離層１１側にヒートシール面（ＨＳ面）を有している。基材層１３の材料は、たとえば、ポリエチレンテレフタレータ（ＰＥＴ）である。このポリエチレンテレフタレート（ＰＥＴ）の厚みは、たとえば、１２μｍ以上２５μｍ以下である。シーラント層１４の材料は、たとえば、ポリエチレン（ＰＥ）である。このポリエチレン（ＰＥ）の厚みは、たとえば、３０μｍ以上５０μｍ以下である。
【００４０】
また、本実施の形態に係る包装体１の変形例２における第２の例について説明する。被剥離層１１の材料は、たとえば、ポリエチレン（ＰＥ）である。このポリエチレン（ＰＥ）の厚みは、たとえば、１０μｍ以上３０μｍ以下である。剥離層１２の材料は、たとえば、ヒートシール延伸ポリプロピレン（ＨＳＯＰＰ）である。このヒートシール延伸ポリプロピレン（ＨＳＯＰＰ）の厚みは、たとえば、２０μｍ以上４０μｍ以下である。このヒートシール延伸ポリプロピレン（ＨＳＯＰＰ）は、被剥離層１１側にヒートシール面（ＨＳ面）を有している。基材層１３の材料は、たとえば、ヒートシール延伸ポリプロピレン（ＨＳＯＰＰ）である。このヒートシール延伸ポリプロピレン（ＨＳＯＰＰ）の厚みは、たとえば、２０μｍ以上４０μｍ以下である。このヒートシール延伸ポリプロピレン（ＨＳＯＰＰ）は、外面ＯＳ側にヒートシール面（ＨＳ面）を有している。このヒートシール面（ＨＳ面）により前面部１０ａおよび後面部１０ｂの各々を折り曲げた状態でヒートシールすることが可能となる。シーラント層１４の材料は、たとえば、ポリエチレン（ＰＥ）である。このポリエチレン（ＰＥ）の厚みは、たとえば、３０μｍ以上５０μｍ以下である。
【００４１】
続いて、本実施の形態に係る包装体１の変形例２における第３の例について説明する。被剥離層１１の材料は、たとえば、ポリエチレン（ＰＥ）である。このポリエチレン（ＰＥ）の厚みは、たとえば、１０μｍ以上３０μｍ以下である。剥離層１２の材料は、たとえば、ヒートシール延伸ポリプロピレン（ＨＳＯＰＰ）である。このヒートシール延伸ポリプロピレン（ＨＳＯＰＰ）の厚みは、たとえば、３０μｍである。このヒートシール延伸ポリプロピレン（ＨＳＯＰＰ）は、被剥離層１１側にヒートシール面（ＨＳ面）を有している。基材層１３の材料は、たとえば、透明蒸着ポリエチレンテレフタレータ（ＰＥＴ）である。この透明蒸着ポリエチレンテレフタレート（ＰＥＴ）の厚みは、たとえば、１２μｍ以上２５μｍ以下である。シーラント層１４の材料は、たとえば、ポリエチレン（ＰＥ）である。このポリエチレン（ＰＥ）の厚みは、たとえば、３０μｍ以上５０μｍ以下である。
【００４２】
さらに、本実施の形態に係る包装体１の変形例２における第４の例について説明する。被剥離層１１の材料は、たとえば、ポリエチレン（ＰＥ）である。このポリエチレン（ＰＥ）の厚みは、たとえば、１０μｍ以上３０μｍ以下である。剥離層１２の材料は、たとえば、ポリプロピレン（ＰＰ）系イージーピールシーラントである。このポリプロピレン（ＰＰ）系イージーピールシーラントは、イージーピール性（易剥離性）を有している。このポリプロピレン（ＰＰ）系イージーピーラントは上記のＰＰリッチ層である。このポリプロピレン（ＰＰ）系イージーピーラントの厚みは、たとえば、２０μ以上５０μｍ以下である。基材層１３の材料は、たとえば、バキュームメタライズドポリエチレンテレフタレート（ＶＭＰＥＴ）である。このバキュームメタライズドポリエチレンテレフタレート（ＶＭＰＥＴ）の厚みは、たとえば、１２μｍ以上２５μｍ以下である。シーラント層１４の材料は、たとえば、ポリエチレン（ＰＥ）である。このポリエチレン（ＰＥ）の厚みは、たとえば、３０μｍ以上５０μｍ以下である。
【００４３】
図８を参照して、本実施の形態に係る包装体１の変形例３では、第１シート部Ｓ１は、被剥離層１１と、シーラント層１４とを有している。第２シート部Ｓ２は、剥離層１２と、基材層１３と、バリア層１５とを有している。バリア層１５は、気体および液体に対する積層フィルムのバリア性を高めるための層である。バリア層１５は、基材層１３に対して剥離層１２と反対側に配置されている。外面ＯＳは、バリア層１５に設けられている。内面ＩＳは、シーラント層１４に設けられている。
【００４４】
第１切り欠き部Ｎ１は、シーラント層１４に設けられた内面ＩＳからシーラント層１４、被剥離層１１を貫通して剥離層１２の被剥離層１１側の一部まで連続して設けられている。第２切り欠き部Ｎ２は、バリア層１５に設けられた外面ＯＳからバリア層１５、基材層１３、剥離層１２を貫通して被剥離層１１の剥離層１２側の一部まで連続して設けられている。
【００４５】
本実施の形態に係る包装体１の変形例３における第１の例について説明する。被剥離層１１の材料は、たとえば、ポリエチレン（ＰＥ）である。このポリエチレン（ＰＥ）の厚みは、たとえば、１２μｍ以上２５μｍ以下である。剥離層１２の材料は、たとえば、エチレン−メタクリル酸共重合体（ＥＭＡＡ）である。このエチレン−メタクリル酸共重合体（ＥＭＡＡ）の厚みは、たとえば、１０μｍ以上３０μ以下である。基材層１３の材料は、ポリエチレン（ＰＥ）である。このポリエチレン（ＰＥ）の厚みは、たとえば、１０μｍ以上３０μｍ以下である。シーラント層１４の材料は、たとえば、ポリエチレン（ＰＥ）である。このポリエチレン（ＰＥ）の厚みは、たとえば、３０μｍ以上５０μｍ以下である。バリア層１５の材料は、透明蒸着ポリエチレンテレフタレート（ＰＥＴ）である。この透明蒸着ポリエチレンテレフタレート（ＰＥＴ）の厚みは、たとえば、１２μｍ以上２５μｍ以下である。
【００４６】
本実施の形態に係る包装体１の変形例３における第２の例について説明する。被剥離層１１の材料は、たとえば、ポリプロピレン（ＰＰ）である。このポリプロピレン（ＰＰ）の厚みは、たとえば、１０μｍ以上３０μｍ以下である。剥離層１２の材料は、たとえば、ポリエチレン（ＰＥ）系イージーピールシーラントである。このポリエチレン（ＰＥ）系イージーピールシーラントは、イージーピール性（易剥離性）を有している。このポリエチレン（ＰＥ）系イージーピールシーラントは上記のＰＥリッチ層である。このポリエチレン（ＰＥ）系イージーピールシーラントの厚みは、たとえば、２０μｍ以上５０μ以下である。基材層１３の材料は、ナイロン（ＮＹ）である。このナイロン（ＮＹ）の厚みは、たとえば、１５μｍである。シーラント層１４の材料は、たとえば、無延伸ポリプロピレン（ＣＰＰ）である。この無延伸ポリプロピレン（ＰＰ）の厚みは、たとえば、３０μｍ以上５０μｍ以下である。バリア層１５の材料は、透明蒸着ポリエチレンテレフタレート（ＰＥＴ）である。この透明蒸着ポリエチレンテレフタレート（ＰＥＴ）の厚みは、たとえば、１２μｍ以上２５μｍ以下である。
【００４７】
上記において、基材層１３、シーラント層１４、バリア層１５を積層させるための方式は特に限られない。例えば、接着剤を用いて貼り合わせる、いわゆるドライラミネート方式が用いられてもよいし、押出ラミネート方式が用いられてもよい。
【００４８】
続いて、本実施の形態に係る包装体１の作用効果について説明する。
本実施の形態に係る包装体１によれば、第１切り欠き部Ｎ１と第２切り欠き部Ｎ２との間で被剥離層１１から剥離層１２が剥離されることによって第１シート部Ｓ１および第２シート部Ｓ２は分離される。被剥離層１１と剥離層１２とは押出ラミネート方式によって貼り合わされている。このため、被剥離層１１から剥離層１２が剥離された後に、被剥離層１１および剥離層１２に接着剤が付着していない。したがって、被剥離層１１および剥離層１２によって内容物１００に接着剤が付着することが抑制される。これにより、包装体１を使いやすくすることができる。
【００４９】
本実施の形態に係る包装体１によれば、被剥離層１１と剥離層１２とは互いの間に接着剤を介さずに貼り合わされている。このため、被剥離層１１と剥離層１２との間に配置された接着剤が内容物１００に付着することを防止することができる。
【００５０】
本実施の形態に係る包装体１によれば、被剥離層１１と剥離層１２とは、互いに異なる材料から構成されている。このため、被剥離層１１と剥離層１２とを剥離することが容易となる。
【００５１】
本実施の形態に係る包装体１によれば、前面シール部１０ａ１および後面シール部１０ｂ１の各々が内側に折り曲げられた状態で固定されているため、より直方体形状に近づけることができる。これにより、包装体１のリジッド性を向上させることができる。
【００５２】
（実施の形態２）
図９を参照して、本発明の実施の形態２に係る包装体１の構成について説明する。本発明の実施の形態２に係る包装体１では、本体部１ａおよび蓋部１ｂの構成が実施の形態１と異なっている。本実施の形態に係る包装体１では、蓋部１ｂの後端は、本体部１ａに繋げられている。蓋部１ｂの後端には第１切り欠き部Ｎ１および第２切り欠き部Ｎ２の両方が設けられていない。なお、蓋部１ｂの後端には、第２切り欠き部Ｎ２が設けられていなければよく、第１切り欠き部Ｎ１が設けられていてもよい。
【００５３】
蓋部１ｂが第１切り欠き部Ｎ１および第２切り欠き部Ｎ２に沿って蓋部１ｂが分離されると、蓋部１ｂはフラップを構成する。この状態では、蓋部１ｂは、蓋部１ｂの後端を固定端とし、蓋部１ｂの摘まみ部１ｂ１を自由端とする片持ち梁を構成している。
【００５４】
図１０を参照して、包装体１の本体部１ａから蓋部１ｂが分離される様子について説明する。摘まみ部１ｂ１が摘ままれ、図１０中矢印Ｃで示されるように包装体１の後面部１０ｂ側に向けて折り返されるように蓋部１ｂは引っ張られる。これにより、第１切り欠き部Ｎ１と第２切り欠き部Ｎ２との間に配置された被剥離層１１から剥離層１２が剥離される。蓋部１ｂの後端まで被剥離層１１から剥離層１２が剥離されると、蓋部１ｂが後端で本体部１ａに繋がった状態で被剥離層１１からの剥離層１２の剥離が終了する。このようにして、蓋部１ｂが後端で本体部１ａに繋がった状態で上面部１０ｃに開口ＯＰが形成される。このため、本実施の形態に係る包装体１においても、包装体１の収容空間から開口ＯＰを通して内容物１００を包装体１の外へ取り出すことが可能となる。
【００５５】
本実施の形態に係る包装体１によれば、蓋部１ｂが後端で本体部１ａに繋がった状態で、包装体１の収容空間から開口ＯＰを通して内容物１００を包装体１の外に取り出すことができる。
【００５６】
（実施の形態３）
図１１および図１２を参照して、本発明の実施の形態３に係る包装体１の構成について説明する。本発明の実施の形態３に係る包装体１は、包装体１にヘムシール２０が設けられている点で実施の形態１と異なっている。
【００５７】
本実施の形態に係る包装体１では、包装体１の上面部１０ｃおよび下面部１０ｄの各々と右側面部１０ｅおよび左側面部１０ｆの各々との端部にヘムシール２０が設けられている。つまり、包装体１の胴部の四隅にヘムシール２０が設けられている。ヘムシール２０は、包装体１の隣り合う面の端部同士がシールされることにより構成されている。
【００５８】
本実施の形態に係る包装体１によれば、包装体１の胴部の四隅にヘムシール２０が設けられているため、包装体１のリジッド性を向上させることができる。
【００５９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００６０】
１  包装体、１ａ  本体部、１ｂ  蓋部、１０ａ  前面部、１０ａ１  前面シール部、１０ｂ１  後面シール部、１０ｂ  後面部、１０ｃ  上面部、１０ｄ  下面部、１０ｅ  右側面部、１０ｆ  左側面部、１１  被剥離層、１２  剥離層、１３  基材層、１４  シーラント層、１５  バリア層、２０  ヘムシール、１００  内容物、ＩＳ  内面、Ｎ１  第１切り欠き部、Ｎ２  第２切り欠き部、ＯＰ  開口、ＯＳ  外面、Ｓ１  第１シート部、Ｓ２  第２シート部。
【図１】
2020121759.tif 000003
【図２】
2020121759.tif 000004
【図３】
2020121759.tif 000005
【図４】
2020121759.tif 000006
【図５】
2020121759.tif 000007
【図６】
2020121759.tif 000008
【図７】
2020121759.tif 000009
【図８】
2020121759.tif 000010
【図９】
2020121759.tif 000011
【図１０】
2020121759.tif 000012
【図１１】
2020121759.tif 000013
【図１２】
2020121759.tif 000014